(57)【要約】【課題】従来、文房具店等から依頼者の印面作成依頼は、その印面作成データが郵送等により印面製作会社に送られ、印面が作成され、文具店等に送られ、依頼者に渡され、依頼者は、印面ができるまで、その内容を十分に把握することができないのみならず、印面製作会社も製作した印面デザインが依頼者の希望に一致するか否か不明な点があった。【解決手段】受注者１２のコンピュータ上において、依頼者１１から受注した印面作成データ１４を取り込む段階と、印面作成データ１４から印面デザイン１７を作成する段階と、作成した印面デザイン１７を依頼者への送り状１８と共に工場１９に発送する段階と、工場１９から依頼者１１へ製作した印面２０を前記送り状１８により直接に発送した事実を確認する発送確認段階とからなる印面作成システム。【選択図】　　　　　　　　図１
2004118260.tif 000002
【特許請求の範囲】
【請求項１】
受注者のコンピュータ上において、依頼者から受注した印面作成データを取り込むデータ取り込み段階と、依頼者の印面作成データから印面デザインを作成するデザイン作成段階と、作成した印面デザインを依頼者への送り状と共に工場に発送する工場発送段階と、工場から依頼者へ製作した印面を前記送り状により直接に発送した事実を確認する発送確認段階とからなる印面作成システム。
【請求項２】
請求項１に記載の印面作成システムにおいて、データ取り込み段階において通信ネットワークにより依頼者から受注することからなる印面作成システム。
【請求項３】
請求項２に記載の印面作成システムにおいて、データ取り込み段階において通信ネットワークにより印面デザイン例を選択可能に提示して依頼者から選択により受注することからなる印面作成システム。
【請求項４】
請求項１、２又は３に記載の印面作成システムにおいて、デザイン作成段階において作成した印面デザイン例を通信ネットワークにより依頼者に提示して承認を得ることからなる印面作成システム。
【請求項５】
請求項１乃至４のいずれかに記載の印面作成システムにおいて、工場発送段階で依頼者への送り状に印面デザインが一体に記載されている印面作成システム。
【請求項６】
請求項５に記載の印面作成システムにおいて、依頼者への送り状に、印面捺印欄が一体に設けてある印面作成システム。
【請求項７】
請求項１乃至６のいずれかに記載の印面作成システムにおいて、発送確認段階において依頼者から通信ネットワークにより印面受取を受け取ることからなる印面作成システム。
【請求項８】
請求項７に記載の印面作成システムにおいて、発送確認段階において工場から通信ネットワークにより発送通知を受取ると依頼者に通信ネットワークにより印面受取を確認する確認状を送付し、通信ネットワークによる返信によって受取を確認することからなる印面作成システム。
【発明の詳細な説明】
【０００１】
【発明の属する技術分野】
本発明は、Ｅメール等の通信ネットワークを用いた印面作成システムに関する。
【０００２】
【従来の技術】
従来、文房具店等から依頼者の印面作成依頼を受けると、その印面作成データが郵送等により印面製作会社と工場に送られ、印面が作成されると、文具店等に送られ、依頼者に渡される。
【０００３】
【発明が解決しようとする課題】
従来、依頼者は、印面ができるまで、その内容を十分に把握することができないのみならず、印面製作会社も製作した印面デザインが依頼者の希望に一致するか否か不明な点があった。
従来、依頼者は、印面ができるまで、その内容を十分に把握することができないのみならず、印面製作会社も製作した印面デザインが依頼者の希望に一致するか否か不明な点があった。
【０００４】
【課題を解決するための手段】
そこで、本発明は、請求項１に記載のように、受注者のコンピュータ上において、依頼者から受注した印面作成データを取り込むデータ取り込み段階と、依頼者の印面作成データから印面デザインを作成するデザイン作成段階と、作成した印面デザインを依頼者への送り状と共に工場に発送する工場発送段階と、工場から依頼者へ製作した印面を前記送り状により直接に発送した事実を確認する発送確認段階とからなる印面作成システムを提供するものである。
【０００５】
本発明によれば、受注者のコンピュータ上において、依頼者から受注した印面作成データを取り込み、取り込んだ印面作成データから印面デザインを作成し、作成した印面デザインを依頼者への送り状と共に工場に発送し、工場から依頼者へ製作した印面を前記送り状の形式により直接に発送したときに、その事実を確認することができるから、受注から発送まで無駄が無く、且つ、確実に印面を作成し、工場から発送し、依頼者に届けることができる。
【０００６】
また、本発明は、請求項２に記載のように、請求項１に記載の印面作成システムにおいて、データ取り込み段階において通信ネットワークにより依頼者から受注することからなる印面作成システムを提供するものである。
本発明によれば、Ｅメール等の通信ネットワークを介して直接的に依頼者の印面作成依頼を受注すると同時に受注者のコンピュータに印面作成データを取り込むことができる。
【０００７】
また、本発明は、請求項３に記載のように、請求項２に記載の印面作成システムにおいて、データ取り込み段階において通信ネットワークにより印面デザイン例を選択可能に提示して依頼者から選択により受注することからなる印面作成システムを提供するものである。
本発明によれば、データ取り込み段階において通信ネットワークにより印面デザイン例を選択可能に提示して依頼者から選択により受注することができるから、依頼者及び受注者の負担を少なくすることができる。
【０００８】
また、本発明は、請求項４に記載のように、請求項１、２又は３に記載の印面作成システムにおいて、デザイン作成段階において作成した印面デザイン例を通信ネットワークにより依頼者に提示して承認を得ることからなる印面作成システムを提供するものである。
本発明によれば、依頼者は安心して納得した印面作成を依頼することができると共に、受注者は安心して印面デザインを作成することができる。
【０００９】
また、本発明は、請求項５に記載のように、請求項１乃至４のいずれかに記載の印面作成システムにおいて、工場発送段階で依頼者への送り状に印面デザインが一体に記載されている印面作成システムを提供するものである。
本発明によれば、依頼者の送り状に印面デザインが一体に記載されているから、異なる印面を依頼者に間違って送ることを阻止することができる。
【００１０】
また、本発明は、請求項６に記載のように、請求項５に記載の印面作成システムにおいて、依頼者への送り状に、印面捺印欄が一体に設けてある印面作成システムを提供するものである。
本発明によれば、依頼者への送り状に、印面捺印欄が一体に設けてあるから、更に誤送を防止することができる。
【００１１】
また、本発明は、請求項７に記載のように、請求項１乃至６のいずれかに記載の印面作成システムにおいて、発送確認段階において依頼者から通信ネットワークにより印面受取を受け取ることからなる印面作成システムを提供するものである。
本発明によれば、Ｅメール等により依頼者から印面受取を受け取ることにより、印面受取を確実に確認することができる。
【００１２】
また、本発明は、請求項８に記載のように、請求項７に記載の印面作成システムにおいて、発送確認段階において工場から通信ネットワークにより発送通知を受取ると依頼者に通信ネットワークにより印面受取を確認する確認状を送付し、通信ネットワークによる返信によって受取を確認することからなる印面作成システムを提供するものである。
本発明によれば、依頼者が印面受取の確認を容易にすることができる。
【００１３】
【発明の実施の形態】
以下図示する実施例により本発明の実施の形態を説明する。
図１において、依頼者１１のコンピュータ端末と受注者１２のコンピュータとはインターネット等の通信ネットワーク１３により接続された状態において、依頼者１１の印面作成データ１４が受注者１２に送付され、受注者１２のコンピュータに取り込まれる。
【００１４】
印面作成データ１４は、例えば、印面を手書きにした文面や図面からなり、これに基づいて、受注者１２は印面デザイン案１５を作成して、通信ネットワーク１３を介して依頼者１１に提示し、修正があれば印面デザイン案１５を再度作成して提示して行われる。
又は、受注者１２から依頼者１１に印面デザイン例を選択可能に提示して、依頼者１１が選択した印面デザイン例を印面作成データ１４として取り込み印面デザイン案１５を作成して依頼者１１に提示することもできる。
また、この印面デザイン案１５の提示段階で印面作成費用の見積を合わせて提示することもできる。
【００１５】
次いで、通信ネットワーク１３を介して依頼者１１から印面デザイン案１５での作成依頼の認証１６を受けてから、その印面デザイン１７と依頼者１１宛の印面の送り状１８を工場１９にインターネット等の通信ネットワーク１３を介して送付する。
この工場発送段階で、依頼者１１への送り状１８に印面デザイン１７が一体に記載されていることにより、異なる印面を依頼者に間違って送ることを阻止することができる。
【００１６】
なお、認証１６を受けた段階で、通信ネットワーク１３を介して印面作成費用の決済方法を確定し請求書を依頼者１１に送付することも可能である。
工場１９では印面デザイン１７に従って印面２０を作成して、受注者１２から送られてきた送り状１８の形式によって印刷し、製品を依頼者１１に適宜な配送手段２１を用いて配送する。
また、その送り状１８に、印面捺印欄が一体に設けてあれば、印面デザイン１７と一見できる位置に並んで印面２０を捺印することにより、更に誤送を防止することができる。
【００１７】
工場１９では、配送後に、受注者１２に発送した事実を確認する発送確認２２を送付する。この発送確認状は、配送者の確認できる受領印等を記載した送り状１８の控え等を用いることができる。
また、発送確認は、依頼者１１から通信ネットワーク１３により印面受取状を受け取ることでも良く、その場合には、受注者１２が工場１９から通信ネットワークにより発送確認２２を受取った後に依頼者１１に通信ネットワークにより印面受取を確認する確認状を送付し、通信ネットワークによる返信によって受取を確認することで達成することができる。
【００１８】
上記の実施例の構成において、図２に記載のように、ステップ１のデータ取り込み段階において、受注者は、依頼者からの受注依頼と同時に印面作成データ１４を取り込み、ステップ２で印面デザイン案１５を作成して、ステップ３で依頼者の認証１６を得てデザイン作成段階を終了し、ステップ４の工場発送段階で、工場に、印面デザイン１７と共に印面を依頼者に送るときの送り状１８とを一体に送付し、ステップ５で工場において印面２０を作成し、ステップ６で先の送り状１８の形式により印面２０を依頼者に送付し、その後、ステップ７で受注者が、配送者の送付確認又は依頼者の印面受取等による確認２２を経て印面作成システムは完了する。
【００１９】
【発明の効果】
以上の通り、本発明に係る印面作成システムによれば、請求項１に記載のように、受注者のコンピュータ上において、依頼者から受注した印面作成データを取り込むデータ取り込み段階と、依頼者の印面作成データから印面デザインを作成するデザイン作成段階と、作成した印面デザインを依頼者への送り状と共に工場に発送する工場発送段階と、工場から依頼者へ製作した印面を前記送り状により直接に発送した事実を確認する発送確認段階とからなる構成を有することにより、受注者のコンピュータ上において、依頼者から受注した印面作成データを取り込み、取り込んだ印面作成データから印面デザインを作成し、作成した印面デザインを依頼者への送り状と共に工場に発送し、工場から依頼者へ製作した印面を前記送り状により直接に発送したときに、その事実を確認することができるから、受注から発送まで無駄が無く、且つ、確実に印面を作成し、工場から発送し、依頼者に届けることができる効果がある。
【００２０】
また、本発明は、請求項２に記載のように、請求項１に記載の印面作成システムにおいて、データ取り込み段階において通信ネットワークにより依頼者から受注することからなる構成を有することにより、Ｅメール等の通信ネットワークを介して直接的に依頼者の印面作成依頼を受注すると同時に受注者のコンピュータに印面作成データを取り込むことができる効果がある。
【００２１】
また、本発明は、請求項３に記載のように、請求項２に記載の印面作成システムにおいて、データ取り込み段階において通信ネットワークにより印面デザイン例を選択可能に提示して依頼者から選択により受注することからなる構成を有することにより、依頼者及び受注者の負担を少なくすることができる効果がある。
【００２２】
また、本発明は、請求項４に記載のように、請求項１、２又は３に記載の印面作成システムにおいて、デザイン作成段階において作成した印面デザイン例を通信ネットワークにより依頼者に提示して承認を得ることからなる構成を有することにより、依頼者は安心して納得した印面作成を依頼することができると共に、受注者は安心して印面デザインを作成することができる効果がある。
【００２３】
また、本発明は、請求項５に記載のように、請求項１乃至４のいずれかに記載の印面作成システムにおいて、工場発送段階で依頼者への送り状に印面デザインが一体に記載されている構成を有することにより、工場から直接送ったとしても異なる印面を依頼者に間違って送ることを阻止することができる効果がある。
【００２４】
また、本発明は、請求項６に記載のように、請求項５に記載の印面作成システムにおいて、依頼者への送り状に、印面捺印欄が一体に設けてある構成を有することにより、印面デザインが記載された送り状に同じ印面が捺印されているから、更に誤送を防止することができる効果がある。
【００２５】
また、本発明は、請求項７に記載のように、請求項１乃至６のいずれかに記載の印面作成システムにおいて、発送確認段階において依頼者から通信ネットワークにより印面受取を受け取ることからなる構成を有することにより、印面受取を確実に確認することができる効果がある。
【００２６】
また、本発明は、請求項８に記載のように、請求項７に記載の印面作成システムにおいて、発送確認段階において工場から通信ネットワークにより発送通知を受取ると依頼者に通信ネットワークにより印面受取を確認する確認状を送付し、通信ネットワークによる返信によって受取を確認することからなる構成を有することにより、依頼者が印面受取の確認を容易にすることができる効果がある。
【図面の簡単な説明】
【図１】本発明システムの一実施例の概略説明図。
【図２】その実施例の一実施形態概略説明図。
【符号の説明】
１１　　依頼者
１２　　受注者
１３　　通信ネットワーク
１４　　印面作成データ
１５　　印面デザイン案
１６　　認証
１７　　印面デザイン
１８　　送り状
１９　　工場
２０　　印面
２１　　配送手段
２２　　発送確認
【図１】
2004118260.tif 000003
【図２】
2004118260.tif 000004